(57)【特許請求の範囲】
【請求項１】
両性界面活性剤４０〜８０質量％と、ポリオキシアルキレングリセリルエーテル（アルキレンの炭素数は２及び／又は３）１〜１５質量％を含有する洗浄料が、多孔性不織布、和紙、多孔性フィルム、連続気孔を有する発泡体シートおよび編織布から選ばれる細孔を有する１種以上のシートであって、該シートのシート面に形成された各細孔の大きさが０．１〜９ｍｍ２であり、かつ該シートの質量が２０〜１２０ｇ／ｍ２であるシートに、そのシートの面積に対して２〜５０ｇ／ｍ2含浸され、かつ乾燥減量が２〜１０質量％の乾燥状態で塗布又は含浸されていることを特徴とする、使用時に水またはお湯を加え泡立てて使用することを特徴とする洗浄用シート。
【請求項２】
さらに、洗浄料中に多価アルコールを含有することを特徴とする、請求項１記載の洗浄用シート。
【請求項３】
さらに、洗浄料中にカロット、アセロラ、桃の葉、アロエ、ムクロジ、マロニエ、レモン、カンゾウ、オリーブ、茶、ユズからなる群から選ばれた植物性抽出物を少なくとも１種類以上、及び／又はロイヤルゼリー、シルク分解物、コラーゲン分解物、ヒアルロン酸及びその塩、エラスチン分解物、ケラチン分解物からなる群から選ばれた動物由来物質を少なくとも１種類以上含有することを特徴とする、請求項１または２に記載の洗浄用シート。
【請求項４】
さらに、洗浄料中に、７０〜１２５℃で３０〜２５０秒の乾燥条件下でも保香性を有する香料を含有することを特徴とする請求項１〜３のいずれか１項に記載の洗浄用シート。
【請求項５】
使用時に洗浄用シートに加える水又はお湯の質量が、洗浄用シートの最終質量の２〜２０倍であり、かつ泡立ててから使用することを特徴とする請求項１〜４のいずれか１項に記載の洗浄用シートの使用方法。
【請求項６】
請求項１〜４のいずれか１項に記載の洗浄用シートの製造方法であって、洗浄料と水とエチルアルコールを含有する洗浄料液を、多孔性不織布、和紙、多孔性フィルム、連続気孔を有する発泡体シートおよび編織布から選ばれる細孔を有する１種以上のシートに、塗布又は含浸した後、乾燥して水とエチルアルコールを除去することを特徴とする洗浄用シートの製造方法。
【発明の詳細な説明】
【０００１】
【発明の属する技術分野】
本発明は、泡立ちが良好で、泡の緻密性や安定性に優れ、洗浄力にも優れ、使用後の肌の突っ張り感がなく、肌のつるつる感等に優れ、携帯性や品質の安定性に優れた洗浄用シートに関する。
【０００２】
【従来の技術及び発明が解決しようとする課題】
最近、シートに化粧料や洗浄料等を含浸させた１回で使いきるタイプのシート状化粧料の開発が盛んである。
例えば、水溶性樹脂を用いた角栓の汚れを取るシート状パック料が、数多く商品化されている。このような製品は、使用時に適量の水をつけて樹脂を溶かし、肌に貼付した状態で、一定時間乾燥させた後、剥がすことにより、角栓の汚れをシートに付着させ、目で直接確認できることからその効果がはっきりとしているため、非常に人気がある。また、保湿化粧料やアニオン系界面活性剤を含浸させたウェットタイプのシート状化粧料や、水溶性高分子を用いゲル化させたシート状製品等が上市されている。
【０００３】
特に、メイク落しシートのようなウェットタイプの洗浄用シートは、１回の使いきりという点で使い易く、手軽にメイクを落とすことができることから簡便さが使用者に受け入れられ愛用者が増加している。
【０００４】
しかしながら、上記洗浄用シートは、通常の洗浄剤と比べて、初期の泡立ち、泡の緻密性、泡の安定性や十分な洗浄力が得られなかったり、使用後に肌がべたついたり、乾燥する等の問題があった。また、ウェットタイプの洗浄用シートは、水分等の揮散を防き品質を保持するためにはシートを気密性に優れた容器に常時保管しなければならず、必ずしも携帯性や品質の保持性に優れたものとは言えなかった。
【０００５】
したがって、本発明の目的は、初期の泡立ちが良好で、泡の緻密性や安定性に優れ、洗浄力にも優れ、使用後の肌の突っ張り感がなく、肌の肌のつるつる感等に優れ、携帯性や品質の保持性に優れた、洗浄用シートを提供することにある。
【０００６】
【課題を解決するための手段】
本発明者等は、このような状況に鑑み鋭意研究を重ねた結果、両性界面活性剤、ポリオキシエチレングリセリルエーテルを含有する洗浄料を、多孔性不織布、和紙、多孔性フィルム、連続気孔を有する発泡体シートおよび編織布から選ばれる細孔を有する１種以上のシートに、乾燥した状態で塗布又は含浸されていることを特徴とする洗浄用シートが、使用時に水またはお湯を加え泡立てて使用すると、初期の泡立ちが良好で、洗浄力に優れ、使用後に肌の突っ張り感や刺激性がなく、肌のつるつる感等に優れ、また簡便さが優れ、水があればどこででも、使用できることを見出し、本発明を完成するに至った。
【０００７】
すなわち、本発明の請求項１は、両性界面活性剤４０質量％以上と、ポリオキシアルキレングリセリルエーテル（アルキレンの炭素数は２及び／又は３）を含有する洗浄料が、多孔性不織布、和紙、多孔性フィルム、連続気孔を有する発泡体シートおよび編織布から選ばれる細孔を有する１種以上のシートに、乾燥した状態で塗布又は含浸されていることを特徴とする、使用時に水またはお湯を加え泡立てて使用することを特徴とする洗浄用シートにある。
【０００８】
本発明の請求項２は、さらに、洗浄料中に多価アルコールを含有することを特徴とする、請求項１記載の洗浄用シート。
【０００９】
本発明の請求項３は、さらに、洗浄料中にカロット、アセロラ、桃の葉、アロエ、ムクロジ、マロニエ、レモン、カンゾウ、オリーブ、茶、ユズからなる群から選ばれた植物性抽出物を少なくとも１種類以上、及び／又はロイヤルゼリー、シルク分解物、コラーゲン分解物、ヒアルロン酸及びその塩、エラスチン分解物、ケラチン分解物からなる群から選ばれた動物由来物質を少なくとも１種類以上含有することを特徴とする、請求項１または２に記載の洗浄用シートにある。
【００１０】
本発明の請求項４は、さらに、洗浄料中に、７０〜１２５℃で３０〜２５０秒の乾燥条件下でも保香性を有する香料を含有することを特徴とする請求項１〜３のいずれか１項に記載の洗浄用シート。
【００１１】
本発明の請求項５は、洗浄料が、多孔性不織布、和紙、多孔性フィルム、連続気孔を有する発泡体、編織布から選ばれる細孔を有する、１種以上のシートの細孔を有するシートの面積に対して２〜５０ｇ／ｍ2含浸され、かつ乾燥減量が２〜１０質量％の乾燥状態にあることを特徴とする請求項１〜４のいずれか１項に記載の洗浄用シートにある。
【００１２】
本発明の請求項６は、多孔性不織布、和紙、多孔性フィルム、連続気孔を有する発泡体、繊維編織布から選ばれる細孔を有する１種以上のシートに、形成された各細孔の大きさが０．１〜９ｍｍ2であり、かつ該シートの質量が２０〜１２０ｇ／ｍ2であることを特徴とする請求項１〜５のいずれか１項に記載の洗浄用シートにある。
【００１３】
本発明の請求項７は、使用時に洗浄用シートに加える水又はお湯の質量が、洗浄用シートの最終質量の２〜２０倍であり、かつ泡立ててから使用することを特徴とする請求項１〜６のいずれか１項に記載の洗浄用シートの使用方法。
【００１４】
本発明の請求項８は、請求項１〜６のいずれか１項に記載の洗浄用シートの製造方法であって、洗浄料と水とエチルアルコールを含有する洗浄料液を、多孔性不織布、和紙、多孔性フィルム、連続気孔を有する発泡体シートおよび編織布から選ばれる細孔を有する１種以上のシートに、塗布又は含浸した後、乾燥して水とエチルアルコールを除去することを特徴とする洗浄用シートの製造方法にある。
【００１５】
【発明の実施の形態】
以下、本発明の構成の詳細について説明する。
【００１６】
本発明において使用される両性界面活性剤としては、界面活性作用のあるものならいずれのもので良い。両性界面活性剤は、泡立ちや洗浄性、突っ張り感がない使用感、洗浄料の多孔性不織布または編織布への密着性や、界面活性剤の溶媒として用いるエタノール等の揮発性アルコール溶媒に溶解し易く乾燥中にも界面活性剤の結晶粉末が析出しない等の点から本発明では両性界面活性剤が選択される。
両性界面活性剤としては、通常の両性界面活性剤であり、例えば、カルボキシベタイン型、アミドベタイン型、スルホベタイン型、ヒドロキシスルホベタイン型、アミドスルホベタイン型、ホスホベタイン型、アミノカルボン酸塩型、イミダゾリン誘導体型、アミドアミン型等の両性界面活性剤が挙げられる。これら両性界面活性剤は単独又は２種以上混合して用いられる。特に、炭素数１１〜１７のｎ−アルキル基を有する２−アルキル−Ｎ−カルボキシメチル−Ｎ−ヒドロキシエチルイミダゾリニウムベタイン及び／又はヤシ油脂肪酸アミドプロピルベタインが好ましい。両性界面活性剤の量としては、起泡性、洗浄性、洗顔後のしっとり感等の点から、乾燥状態の洗浄料中への含有量としては、４０質量％以上が必要であり、４０〜８０質量％が好ましい。４０質量％未満では、起泡性、洗浄性、洗顔後のしっとり感が不満足であり、また８０質量％を超えるとべたつき感がでてくる場合がある。
【００１７】
本発明では本発明の効果を損なわない範囲で、例えば適当なアニオン性界面活性剤、カチオン性界面活性剤、ノニオン性界面活性剤の１種、２種以上を好適な量で、例えば両性界面活性剤に比べて少量にて用いることもできる。これら界面活性剤としては、脂肪酸石鹸、Ｌ−アシルスルホン酸塩、アルキルスルホン酸塩、アルキルアリルスルホン酸塩、アルキルナフタレンスルホン酸塩、アルキル硫酸塩、アルキルエーテル硫酸塩、アルキルアミド硫酸塩、アルキルリン酸塩、アルキルアミドリン酸塩、アルキロイルアルキルタウリン塩、Ｎ−アシルアミノ酸塩、スルホコハク酸塩、パーフルオロアルキルリン酸エステル等のアニオン性界面活性剤、塩化アルキルトリメチルアンモニウム、塩化ステアリルトリメチルアンモニウム、臭化ステアリルトリメチルアンモニウム、塩化セトステアリルトリメチルアンモニウム、塩化ジステアリルジメチルアンモニウム、塩化ステアリルジメチルベンジルアンモニウム、臭化ベヘニルトリメチルアンモニウム等のカチオン性界面活性剤、ラウリン酸アルカノールアミド、ＰＯＥソルビタン脂肪酸エステル、ＰＯＥグリセリン脂肪酸エステル、ＰＯＥ脂肪酸エステル等のノニオン性界面活性剤、またサポニン、糖系界面活性剤等の天然系界面活性剤を用いることもできる。
【００１８】
本発明で用いるポリオキシアルキレングリセリルエーテル（アルキレンの炭素数は２及び／又は３）とは、グリセリンに酸化エチレン及び／又は酸化プロピレンが付加した化合物であり、その総付加モル数として５〜５０が好ましい。特に好ましくは酸化エチレンの総付加モル数が５〜５０のものである。本発明ではこれらの化合物を１種、または２種以上配合することによって、特に使用後の肌のつるつる感が得られ、また使用時に水と混合した時の発熱効果によって、洗浄性の向上と快適感が得られる。ポリオキシアルキレングリセリルエーテルの乾燥状態の洗浄料中への含有量としては、１〜１５質量％が好ましく、この範囲であれば肌のつるつる感などが得られる。
【００１９】
また、本発明では、両性界面活性剤の泡の緻密性と泡の経日安定性を改良し、両性界面活性剤のシートへ付着性を高め、且つ洗浄用シートを使用した後に、肌にしっとり感を付与するために、多価アルコールを配合することが好ましい。多価アルコールとしては、エチレングリコール、プロピレングリコール、１，３−ブチレングリコール、ジプロピレングリコール、グリセリン、ポリグリセリン、ポリエチレングリコール、ポリプロピレングリコール、グルコース、マルトース、マルチトール、蔗糖、フラクトース、ソルビトール、澱粉分解糖等が挙げられ、好ましくは水と混合した時に発熱効果も得られるエチレングリコール、プロピレングリコール、１，３−ブチレングリコール、ジプロピレングリコール、グリセリン、ポリグリセリン、ポリエチレングリコール、ポリプロピレングリコールである。これら多価アルコールは、１種または２種以上を、乾燥状態の洗浄料中への含有量としては、好ましくは１０〜５０質量％配合される。１０質量％未満では、泡の緻密性や泡の安定性が劣る場合があり、５０質量％を超えるとべたつき感がでてくる場合がある。
【００２０】
両性界面活性剤とポリオキシアルキレングリセリルエーテルを含む洗浄料の乾燥後の多孔性不織布などのシートへの塗布または含浸量としては、シートの面積に対しては、２〜５０ｇ／ｍ2が好ましく、特に好ましくは７〜３０ｇ／ｍ2である。また、洗浄シートの乾燥減量が２〜１０質量％の範囲になるように乾燥することが好ましい。この範囲の乾燥状態であると製品がべとつくこともなく、洗浄料に配合される香料の気散も少ない。
【００２１】
また、本発明では、カロット（ニンジン）、アセロラ、桃の葉、アロエ、ムクロジ、マロニエ、レモン、カンゾウ、オリーブ、茶、ユズからなる群から選ばれた植物性抽出物を少なくとも１種類以上、及び／又はロイヤルゼリー、シルク分解物、コラーゲン分解物、ヒアルロン酸及びその塩、エラスチン分解物、ケラチン分解物からなる群から選ばれた動物由来物質を少なくとも１種類以上を洗浄料中に配合することによって、使用後のしっとり感がさらに得られるので配合することが好ましい。これら抽出物等は、各原料そのものをエチルアルコール、１，３−ブチレングリコール、プロピレングリコール、グリセリン、酢酸エチル、アセトン、スクワラン等の有機溶媒、水、それらの混液で抽出した液、抽出液の乾燥末であり、または動物原料の分解生成物である。シルク分解物としてはシルクプロティンエキス、シルク抽出物、シルクアミノ酸、シルクパウダー等として市販されているものであり、コラーゲン分解物としてはコラーゲンアミノ酸等として市販されているものであり、エラスチン分解物としてはエラスチンアミノ酸等として市販されているものであり、またケラチン分解物としてはケラチンアミノ酸等として市販されているものである。これら成分の総配合量としては、乾燥した洗浄料中に乾燥残分換算で、好ましくは０．０００１〜１０．０質量％である。
【００２２】
本発明において洗浄料を塗布含浸させるために使用されるシートとしては、細孔を有するシートとしては、綿、麻、羊毛等の天然繊維、レーヨン、アセテート等のセルロース系繊維、ポリエチレン、ポリプロピレン、ポリウレタン、ポリアクリル、ポリエステル、ビニリデン、ポリ塩化ビニル、ナイロン等の合成繊維等の繊維からなる不織布、和紙、多孔性フィルム、連続気孔を有する発泡体、上記繊維の編織布が挙げられ、これらの単体物あるいは複数以上の混合物であってもよい。
また必要に応じて、例えば不織布、多孔性フィルム、発泡体シート、和紙、編織布、コットンの単層及びこれらの積層物で透水性であって水不溶解性あるいは水解性を有するものであれば、公知のどのようなものでも用いることができる。そしてこれら単層または積層物はさらに植毛により繊維で覆ったり、凹凸のエンボス加工したもの等の二次加工より、表面特徴を変えたものを使用することができる。また、ポリエチレン、ポリプロピレン、ポリウレタン、ポリアクリル、ポリエステル、ビニリデン、ポリ塩化ビニル、ナイロン、ポリオレフィン等からなる多孔性フィルムや連続気孔を有する種々の材質（ポリウレタン、セルロース等）の発泡体シートも使用できる。上記シートの中でも、特に多孔性不織布、編織布が使用勝手の点から好ましい。
【００２３】
上記の多孔性不織布、和紙、多孔性フィルム、連続気孔を有する発泡体、または編織布の細孔を有するシート面に形成された各細孔の大きさは、洗浄料と水が自由に通過し、手で揉んだ時に起泡性を助ける程度の大きさであり、好ましくは０．１〜９ｍｍ2の範囲の水を透過する程度の孔の大きさであり、さらに好ましくは０．２〜５ｍｍ2である。シートの質量は２０〜１２０ｇ／ｍ2であることが好ましい。この様な素材を使うことによって、特に使用時の泡立ちがよく、また洗浄用シートを広げやすく、手での把持性に優れ、使用後の肌の感触にも優れるので好ましい。水不溶性のものなら５０〜１００ｇ／ｍ2、水解性のものなら６０〜８０ｇ／ｍ2のものが使用感やコスト点から特に好ましい。
【００２４】
本発明の洗浄用シートでは、７０〜１２５℃で３０〜２５０秒の乾燥条件下でも保香性を有する香料を洗浄剤中に配合して、シートに塗布含浸させることによって、使用時に心地よさと精神的効果が得られるので香料を配合することが好ましい。香料の種類としては、乾燥などでの気散が少なく耐熱性の優れた固形石鹸用香料が選ばれる。７０〜１２５℃で３０〜２５０秒の乾燥条件に耐え、保留性、残香性に優れる香料としては、下記ウッディアンバー、サンダルノート、ムスク、フローラルの各種香料を含むものである。これら香料は１種または２種以上を適宜選択し香料として洗浄剤中に配合する。
【００２５】
（ウッディアンバー）
１−（２−ｔ−ブチルシクロヘキシルオキシ）−２−ブタノール（アンバーコア）、３α，６，６，９α−テトラメチルドデカハイドロナフト〔２，１−ｂ〕フラン（アンブロキサン）、７−アセチル−１,２,３,４,５,６,７,８−オクタヒドロ−１,１,６,７−テトラメチルナフタレン（イソ・イー・スーパー）、7−シクロヘキサデセノリド（アンブレトリッド）、セドリルメチルエーテル（セドラアンバー）、セドリルメチルケトン（ベルトフィックス）、２−（２,４−ジメチルシクロヘキシ−３−エン−１−イル）−５−メチル−５−（１−メチルプロピル）−１,３−ジオキサン(カラナール)等である。これらの香料中の配合量は好ましくは２０〜５０質量％である。
【００２６】
（サンダルノート）
サンダルウッドオイル、α−サンタロール、β−サンタロール、３−メチル−５−（２,２,３−トリメチル−３−シクロペンテン−１−イル）−ペンタン−２−オール(サンダロア)、２−エチル−（２,２,３−トリメチル−３−シクロペンテン−トイル）−２−ブテン−１−オール(バクダノール)、３,３ジメチル−５−（２,２,３−トリメチル−３−シクロペンテン−１−イル）−４−ペンテン−２−オール（ポリサントール）、 ２−メチル−４−（２,２,３−トリメチル−３−シクロペンテン−１−イル）−２−ブテン−１−オール（サンダルマイソールコア）等である。これらの香料中の配合量は好ましくは１〜２０質量％である。
【００２７】
（ムスクノート）
３−メチルシクロペンタデカノン（ムスコン）、９−シクロペンタデセン−１−オン（シベトン）、シクロペンタデカノン、シクロペンタデカノリド、５−シクロヘキサデセン−１−オン（ＴＭＩＩ）、エチレンブラシレート（ムスクＴ）、エチレンドデカンジオエート（Ｃ１４ムスク）、５−ターシャリ−ブチル−１,２,３トリメチル−４,６−ジニトロベンゼン（ムスクチベチン）、６−アセチル１,１,２,３,３,５ヘキサメチルインダン（ファントリッド）、４−アセチルジメチル−６−ｔ−ブチル１１ジメチルインダン（セレストリッド）、６アセチル−１,１,２,４,４,７−ヘキサメチルテトラリン（トナリッド）、ヘキサメチルヘキサヒドロ,シクロペンタベンゾピラン４,６,６,７,８,８（ガラクソリッド）等である。これらの香料中の配合量は好ましくは５〜３０質量％である。
【００２８】
（フローラルノート）
ローズオイル、ローズアブソリュート、ゼラニュウムオイル、４−（４−ヒドロキシ−４−メチルーペンチル−３−シクロヘキセン−１−カルボキシアルデヒド（リラール）等である。これらの香料中の配合量は好ましくは２０〜６０質量％である。
【００２９】
上記香料の乾燥した洗浄料中への配合量としては、好ましくは０．００１〜０．８質量％である。
また、本発明では、界面活性剤、植物抽出物、香料が製品の乾燥工程や製品の保存中に変質、変色するのを防止するために、酢酸トコフェロール、没食子酸またはそのエステル、ジブチルヒドロキシトルエン、亜硫酸水素ナトリウム、アスコルビン酸またはその誘導体、エリソルビン酸またはその塩、ブチルヒドロキシアニソール等の酸化防止剤；エデト酸およびその塩、酒石酸、クエン酸およびその塩、ポリリン酸ナトリウム、メタリン酸ナトリウム等の金属封鎖剤を、乾燥した洗浄料の中に０．００１〜０．５質量％配合することが好ましい。特に酸化防止剤を配合することが好ましい。
【００３０】
本発明の洗浄用シートには、必要に応じ通常化粧料に使用されるその他の成分を適宜組み合わせて使用することが出来る。例えば、一般に賦形剤として使用されている、結晶セルロース、炭酸マグネシウム、第２リン酸カルシウム、第３リン酸カルシウム、リン酸一水素カルシウム、リン酸マグネシウム、メタリン酸ナトリウム、水酸化アルミニウム、水酸化マグネシウム、ピロリン酸カルシウム、ピロリン酸ナトリウム、クエン酸ナトリウム、クエン酸カルシウム、クエン酸、シスウンベル酸、コウジ酸、ヘキサメタリン酸ナトリウム、炭酸ナトリウム、乳酸カルシウム、乳酸カルシウム、硫酸亜鉛、ベンガラ、硫酸カルシウム、酸化チタン、ケイソウ土、ケイ酸アルミニウムマグネシウム、ケイ酸アルミニウム、カオリン、亜鉛華；防腐剤、色素；本発明の必須成分以外の植物動物由来物質、ビタミンＣ及びその誘導体、グリチルリチン及びその誘導体、γ−アミノ酪酸等の薬剤；無水ケイ酸、含水ケイ酸、石膏、焼き石膏、炭酸マグネシウム、硫酸マグネシウム、塩化マグネシウム、ゼオライト、ハイドロタルサイト、合成珪酸アルミニウム等の発熱剤；トウガラシチンキ、トウガラシエキス、ショウキョウチンキ、ショウキョウエキス、カプサイシン、イソバニリン誘導体、ニコチン酸類、バニリルアルコールアルキルエーテル等の温感剤；増粘剤、保湿剤等の化粧品原料基準、化粧品種別配合基準、食品添加物公定書、日本薬局方及び化粧品原料とし使用前例があるものなら必要に応じて適宜配合してよい。
【００３１】
本発明の洗浄用シートは、例えば、両性界面活性剤、ポリオキシアルキレングリセリルエーテルを含む洗浄剤を３〜４倍量の水とエチルアルコールに溶解して得られた洗浄料液を、多孔性不織布、和紙、多孔性フィルム、連続気孔を有する発泡体シートおよび編織布から選ばれる細孔を有する１種以上のシートに、塗布又は含浸した後、１００〜１２５℃で３０〜１８０秒の乾燥条件で乾燥してエチルアルコールと水を除去することよって得られる。エチルアルコールは溶媒としての役目として以外に、洗浄料液の消泡効果と乾燥性の向上のために配合される。エチルアルコールの配合量としては、洗浄料液中に５〜３０質量％配合されることが好ましい。乾燥の程度としては、得られた洗浄用シートが、１０５℃で３時間での乾燥減量が２〜１０質量％の範囲とするのが、使用時の清潔感、扱いやすさ、微生物汚染から防衛するために好ましい。また、製品の香りや使用時香りの強さからも乾燥減量が２質量％以上となる乾燥条件で乾燥することが好ましい。そして、不織布等のシートに塗布又は含浸し、乾燥した製品は、密封容器に充填し、外気の水分による影響を防ぐのが好ましい。さらに、使用時に加える水及びお湯の量は充分な心地よい香りと泡立ちをえる為には製品重量の２〜２０倍量の水が好ましい。本発明の洗浄用シートは、顔、髪、全身などの洗浄に使用され、携帯用としても利便である。
【００３２】
【実施例】
以下、実施例及び比較例に基づき本発明を詳細に説明する。
【００３３】
実施例１  比較例１，２
下記表１に示す乾燥後の最終組成からなる洗浄料を含浸した洗浄シートを作製した。シート作製に当たり表１からなる組成の水以外の成分を３．５倍量の水とエチルアルコール（洗浄料液中に２０質量％）に溶解させ、ポリエステル、レーヨン、ポリプロピレンからなる多孔性の不織布（８０ｇ／ｍ2、１．５ｍｍ×２．０ｍｍの細孔：日本バイリーン製）に含浸させ、８５℃で１０分間乾燥機にて乾燥し１００ｇ／ｍ2の乾燥減量（１０５℃、３時間、以下同様）５質量％の製品を得た。同様にして両性界面活性剤量の少ないもの（比較例１）、ポリオキシエチレングリセリルを配合しないものを比較例２とし、乾燥機にて乾燥し１００ｇ／ｍ2で乾燥減量が５質量％になるように製品を調製した。これらを１６ｃｍ×１６ｃｍ（約２．５ｇ：不織布２.０ｇ、洗浄料０．５ｇ）になるように裁断した。社内パネラー２０名の協力を得て、上記製品を用い洗顔し、使用後の評価をアンケート調査にて、各項目５点評価で評価した。アンケート項目は泡立ちの良さ、泡の緻密性・安定性、洗浄性、洗顔後のしっとり感、つるつる感について５点満点にて評価し、点数の平均を示す。点数が高いほど評価が優れている（以下のアンケート調査も同様である。）。
【００３４】
（表１）
0004175787.tif 000002
【００３５】
下記表２のアンケート結果から、本発明の実施例１の製品は、比較例１，２と比べ諸特性の全てにわたり優れていることが明らかである。
（表２）
0004175787.tif 000003
【００３６】
実施例２，３  比較例３
下記表４に示す乾燥後の最終組成からなる洗浄料を含浸した洗浄シートを作製した。シート作製に当たり表４からなる水以外の組成比の成分を３．５倍量の水とエチルアルコール（洗浄料液中に２０質量％）に溶解させ、ポリエステル、レーヨン、ポリプロピレンからなる多孔性の不織布（８０ｇ／ｍ2、１．５ｍｍ×２．０ｍｍの細孔：日本バイリーン製）に含浸させ、８５℃で１０分間乾燥機にて乾燥し１００ｇ／ｍ2の乾燥減量（１０５℃、３時間、以下同様）５質量％の製品を得た。同様にして両性界面活性剤量の少ないもの（比較例３）、抽出エキスを配合しないものを実施例３とし、乾燥機にて乾燥し１００ｇ／ｍ2で乾燥減量が５質量％になるように製品を調製した。これらを１６ｃｍ×１６ｃｍ（約２．５ｇ：不織布２.０ｇ、洗浄料０．５ｇ）になるように裁断した。社内パネラー１０名の協力を得て、上記製品を用い洗顔し、使用後の評価をアンケート調査にて評価した。アンケート項目は泡立ちの良さ、香りの良さ、洗浄性、使用後の突っ張り感のなさ、しっとり感、べたつき感について評価した。
【００３７】
尚、以下の実施例２，４〜８、比較例３，４で使用した香料は下記表３の組成のものである。
【００３８】
［表３］
（香料名）                                           （質量部）
--------------------------------------------------------------
リナロール                                                ５０
メチルジヒドロジャスモナート                            １００
αーヘキシルシンナミックアルデヒド                        ８０
１−（２−ｔ−ブチルシクロヘキシルオキシ）−２
−ブタノール（アンバーコア）                            １０
３α，６，６，９α−テトラメチルドデカハイドロナフト
〔２，１−ｂ〕フラン（アンブロキサン）１０％            １０
７−アセチル−１,２,３,４,５,６,７,８−オクタヒドロ−
１,１,６,７−テトラメチルナフタレン
（イソ・イー・スーパー）                              １３０
７−シクロヘキサデセノリド（アンブレトリッド）            １０
セドリルメチルエーテル（セドラアンバー）                  ２０
セドリルメチルケトン（ベルトフィックス）                  ６０
２−（２,４−ジメチルシクロヘキシ−３−エン−１−イル）
−５−メチル−５−（１−メチルプロピル）−１,３
−ジオキサン(カラナール)                                  ５
サンダルウッドオイル                                      ２５
α−サンタロール                                            ５
β−サンタロール                                            ５
３−メチル−５−（２,２,３−トリメチル−３−
シクロペンテン−１−イル）−ペンタン−
２−オール(サンダロア)                                    ５
２−エチル−（２,２,３−トリメチル−３−シクロペンテン−
トイル）−２−ブテン−１−オール(バクダノール)            ５
３,３ジメチル−５−（２,２,３−トリメチル−３−
シクロペンテン−１−イル）−４−ペンテン−
２−オール（ポリサントール）                            １０
２−メチル−４−（２,２,３−トリメチル−３−
シクロペンテン−１−イル）−２−ブテン−１
−オール（サンダルマイソールコア）                      １０
３−メチルシクロペンタデカノン（ムスコン）１０％            ５
９−シクロペンタデセン−１−オン（シベトン）１０％          ５
シクロペンタデカノン                                        ５
シクロペンタデカノリド                                    １０
５−シクロヘキサデセン−１−オン（ＴＭII）                ２０
エチレンブラシレート（ムスクＴ）                          ２０
エチレンドデカンジオエート（Ｃ１４ムスク）                  ５
５−ターシャリ−ブチル−１,２,３トリメチル−４,６−
ジニトロベンゼン（ムスクチベチン）                      １０
６−アセチル１,１,２,３,３,５ヘキサメチルインダン
（ファントリッド）                                        ５
４−アセチルジメチル−６−ｔ−ブチル１１ジメチルインダン
（セレストリッド）                                        ５
６アセチル−１,１,２,４,４,７−ヘキサメチルテトラリン
（トナリッド）                                          １０
ヘキサメチルヘキサヒドロ,シクロペンタベンゾピラン
４，６，６，７，８，８（ガラクソリッド）                １００
ローズオイル                                              １０
ローズアブソリュート                                      １０
ゼラニュウムオイル                                        ５０
４−（４−ヒドロキシ−４−メチルーペンチル−３−
シクロヘキセン−１−カルボキシアルデヒド（リラール）    ８０
ベンジルアセテート                                        ３０
ｐ−ｔ−ブチルーαーメチルヒドロシンナミックアルデヒド
（リリアール）                                            ８０
計                                                    １０００
【００３９】
（表４）
0004175787.tif 000004
【００４０】
下記表５のアンケート結果から、本発明の実施例２，３の製品は、香りの点以外では、比較例３と比べ総合的に優れていることが明らかである。
（表５）
0004175787.tif 000005
【００４１】
実施例４、５、及び参考例６、７
下記表６に示す乾燥後の最終組成の洗浄料が含浸された洗浄シートを作製した。シート作製に当たり表４からなる水以外の組成比の成分を３．５倍量の水とエチルアルコール（洗浄料液中に２０質量％）に溶解させ、この液をレーヨン７０％、パルプ３０％からなる８０ｇ／ｍ2の重量の不織布（１．０ｍｍ×１．５ｍｍの細孔、三昭紙業社製）にスプレーにて塗布し、９５℃、１０分間乾燥機にて乾燥し、１００ｇ／ｍ2の塗布量とし、これを１６ｃｍ×１６ｃｍ（約２．５ｇ：不織布２.０ｇ、洗浄料０．５ｇ）になるように裁断し、乾燥減量５．０質量％の実施例４の製品を得た。同様にして実施例５として洗浄料の塗布量の少ないものである、不織布質量に対して７．５質量％の洗浄料付着量となる８６ｇ／ｍ2で、乾燥減量が７質量％である製品を調製した。また、参考例６として乾燥減量が１．５質量％のもの、参考例７として乾燥減量が１５質量％のものを作製し、これらを同様に１６ｃｍ×１６ｃｍになるように裁断した。これら製品について、社内パネラー１０名の協力を得て、洗顔に使用し、使用後の評価をアンケート調査した。
【００４２】
（表６）
原料成分                                          配合量（質量部）
----------------------------------------------------------------
２−アルキル−Ｎ−カルボキシ
メチル−Ｎ−ヒドロキシエチル
イミダゾリニウムベタイン                        ４０．０
ラウロイルメチル−β−アラニン
ナトリウム液                                    １５．０
ヤシ油脂肪酸ジエタノールアミド                      ５．０
ポリエチレングリコール２００                      １０．０
ポリエチレングリコー１５００                      １０．０
プロピレングリコール                                ４．０
ポリオキシエチレン
グリセリル（２６Ｅ．Ｏ）                        １０．０
イソプロピルメチルフェノール                        ０．０２
クエン酸                                            ０．３
クエン酸ナトリウム                                  ０．０２
パラベン                                            ０．２
アセロラエキス                                      ０．１
カンゾウエキス                                      ０．１
桃の葉エキス                                        ０．１
アロエエキス                                        ０．１
レモンエキス                                        ０．２
香料                                                ０．３
パルミチン酸レチノール                              ０．０５
酢酸−ｄｌ−α−トコフェロール                      ０．１
Ｌ−アスコルビン酸硫酸エステル二ナトリウム          ０．０５
エデト酸２ナトリウム                                ０．０２
水                                                  ５．０
---------------------------------------------------------------
計                                              １００．６６
【００４３】
アンケートの結果を表７に示す。
（表７）
実施例４  実施例５  参考例６  参考例７
------------------------------------------------------------------
扱いやすさ                ４．０    ３．８    ４．０    ２．１
泡立ちの良さ              ４．５    ２．３    ３．３    ４．５
香りの良さ                ３．２    ３．１    １．６    ３．２
洗浄性（メイクの落ち）    ３．５    ２．１    ３．５    ３．２
使用後の突っ張り感のなさ  ３．６    ３．０    ３．１    ３．２
しっとり感                ３．７    ２．４    ３．０    ３．７
総合評価                  ４．０    ３．１    ３．８    ３．１
【００４４】
実施例８  比較例４
前記の表６に示す乾燥後の洗浄料組成からなる洗浄シートを作製した。シート作製に当たり表６からなる水以外の組成比の成分を３．５倍量の水とエチルアルコール（洗浄料液中に２０質量％）に溶解させ、この液をレーヨン７０％パルプ３０％からなる８０ｇ／ｍ2の重量の多孔性不織布（１．０ｍｍ×１．５ｍｍの細孔、三昭紙業社製）に含浸させ、１００℃、１０分間乾燥機にて乾燥し１００ｇ／ｍ2の製品を得た。同様にして比較例４としてレーヨン７０％、パルプ３０％からなる８０ｇ／ｍ2の重量のプレ−ンタイプで、孔を透して光が透過して水が自由に透過する細孔がない不織布に同様の洗浄料を塗布し、乾燥減量が７質量％のものを作製した。これらを５０ｃｍ×１６ｃｍ（約７．８ｇ：不織布６．３ｇ、洗浄料１．５ｇ）になるように裁断し、社内パネラー１０名の協力を得て、得られた製品を、顔、髪、体の全身に使用し、使用後の評価をアンケート調査にて、各項目５点評価で評価した。その結果を表７に示す。
【００４５】
（表７）
評価項目                         実施例８    比較例４
---------------------------------------------------
泡立ちの良さ                      ４．２      ３．４
洗浄性（体）                      ４．２      ２．７
使用後の突っ張り感のなさ          ３．６      ２．４
しっとり感（体）                  ３．２      ２．６
総合評価                          ４．３      ２．６
【００４６】
表７の結果から明らかのように、実施例８は比較例４と比べ、すべての面で、優れていることは明らかである。また髪、顔、全身を洗浄するのに優れた洗浄剤である。
【００４７】
【発明の効果】
以上のごとく、本発明により、初期の泡立ちが良好で、泡の緻密性や安定性、洗浄力に優れ、使用後の肌の突っ張り感がなく、肌のつるつる感等に優れ、携帯性や品質の保持性に優れた、洗浄用シートを提供できることは明らかである。